(57)【要約】【課題】  入浴者に治療効果、リラックス効果、ホルミシス効果を与えると共に、浴槽水の脱臭、抗菌を図り、更にレジオネラ菌や水生菌の発生を抑制する。【解決手段】  適宜大きさ厚さのプレート状に加工した遠赤外線放射特性を有し、且つ脱臭性および抗菌性を有すると共に、マイナスイオンを放出し、更にホルミシス効果を有する角閃石プレート１と、遠赤外線放射特性を有し、且つ抗菌性を有すると共に、マイナスイオンを放出し、且つホルミシス効果を有し、更に、レジオネラ菌や水生菌に対して、抑制力を有する緑泥石プレート２を適宜数組合わせて、上方および下方を開口した枠部材３内に平面状に収納配設する。【選択図】      図１
2008055251.tif 000002
【特許請求の範囲】
【請求項１】
適宜大きさと、厚さのプレート状に加工した角閃石プレートと緑泥石プレートを適宜数組合わせて、上方および下方を開口した枠部材内に平面状に収納配設したことを特徴とする浴槽水の改質装置。
【請求項２】
適宜大きさと、厚さのプレート状に加工した角閃石プレートと緑泥石プレートを適宜数組合わせて、上方を開口したケース内に平面状に収納配設したことを特徴とする浴槽水の改質装置。
【請求項３】
請求項１または請求項２記載の浴槽水の改質装置において、角閃石プレートと緑泥石プレートとの収納比率が、表面積で角閃石プレートが緑泥石プレートより広くしたことを特徴とする浴槽水の改質装置。
【請求項４】
角閃石砕石と緑泥石砕石の適宜量を、開閉自在な蓋を備えたケース内に収納する一方、該蓋およびケースの側壁に貫通孔を穿設したことを特徴とする浴槽水の改質装置。
【請求項５】
請求項４記載の浴槽水の改質装置において、角閃石砕石と緑泥石砕石の収納比率が、表面積で角閃石砕石が緑泥石砕石より広くしたことを特徴とする浴槽水の改質装置。
【請求項６】
適宜大きさと、厚さの生素地の表・裏面に角閃石含有釉層を設けて形成された角閃石タイルと、生素地の表・裏面に緑泥石含有釉層を設けて形成された緑泥石タイルとを適宜数組合わせて、上方および下方を開口した枠部材内に平面状に収納配設したことを特徴とする浴槽水の改質装置。
【請求項７】
適宜大きさと、厚さの生素地の表面に角閃石含有釉層を設けて形成された角閃石タイルと、生素地の表面に緑泥石含有釉層を設けて形成された緑泥石タイルとを適宜数組合わせて、上方を開口したケース内に平面状に収納配設したことを特徴とする浴槽水の改質装置。
【請求項８】
請求項６または請求項７記載の浴槽水の改質装置において、角閃石タイルと緑泥石タイルとの収納比率が、表面積で角閃石タイルが緑泥石タイルより広くしたことを特徴とする浴槽水の改質装置。
【請求項９】
請求項６〜８記載の浴槽水の改質装置において、角閃石タイルに代えて角閃石プレートを使用し、または、緑泥石タイルに代えて緑泥石プレートを使用することを特徴とする浴槽水の改質装置。
【発明の詳細な説明】
【技術分野】
【０００１】
本発明は、家庭で使用することができる浴槽水の改質装置に関するものであって、遠赤外線放射特性を有し、マイナスイオンを放出すると共に、脱臭(消臭)性、抗菌性を有し、且つレジオネラ菌に対して抑制力を有し、更にホルミシス効果を有する角閃石および緑泥石とを使用して浴槽水を改質して、入浴者に治療効果、リラックス効果、ホルミシス効果を与えると共に、浴槽水の脱臭、抗菌を図り、更に、レジオネラ菌や水生菌の発生を抑制することができる浴槽水の改質装置に関するものである。
【背景技術】
【０００２】
従来、家庭の風呂で使用できるようにした浴槽水の改質装置として、下記の非特許文献として示すカタログに記載されているような商品が販売されている。非特許文献に記載された商品は、「玉川の湯」という商品名で販売されており、木箱の中に玉川温泉の湯の花をセラミックボール化した湯の花セラミックボールと、マイナスイオンを放出するマイナスイオンセラミックボールと、遠赤外線を放射する遠赤外線セラミックボールとをそれぞれ収納し、該箱を浴槽水中に沈めて使用するようにしたものである。
【０００３】
【非特許文献１】株式会社ＪＡＬＵＸの発行に係る「玉川の湯」の商品カタログ
【発明の開示】
【発明が解決しようとする課題】
【０００４】
前記非特許文献１に記載のものは、玉川温泉の湯の花から成るセラミックボールを用いているが、該セラミックボールを使用した目的が明確でなく、果たして玉川温泉と同等の、例えばガン等の難病治療に有効である等の効果を期待できるか否か不明である。
【０００５】
また、前記非特許文献１には、遠赤外線を放射する遠赤外線セラミックボールおよびマイナスイオンを放出するマイナスイオンセラミックボールが、前記湯の花セラミックスボールと共に使用される旨記載されているが、遠赤外線を放射する物質は汎用されて広く知られている。しかしながら、マイナスイオンセラミックスは、確実にマイナスイオンを放出しているとの実験データにより裏付けされたものは全く存在していない。すなわち、非特許文献１に記載されたマイナスイオンセラミックボールは、その素材が何であるか開示されておらず、またマイナスイオンの放出メカニズムや、それから放出されるマイナスイオン数も記載されておらず、従って、非特許文献１に記載の商品はその作用・効果を期待することができないものであるといわざるを得ない。
【０００６】
本発明は、前記課題を解決すべくなされたもので、遠赤外線放射特性を有し、且つ脱臭性および抗菌性を有すると共に、マイナスイオンを放出し、更にホルミシス効果を有する角閃石と、遠赤外線放射特性を有し、且つ抗菌性を有すると共に、マイナスイオンを放出し、且つホルミシス効果を有し、更に、レジオネラ菌や水生菌に対して抑制力を有する緑泥石の天然の鉱物を切断、研磨して同一厚さのプレート状に加工して、これらを適宜組合わせてケース内に収納したり、あるいは前記角閃石および緑泥石を砕石状にして、これをケース内に収納して、浴槽水中に沈めることにより、角閃石および緑泥石から遠赤外線が放射されて、入浴者に遠赤外線による治療効果を与えると共に、多数のマイナスイオンを放出してリラックス効果を与え、更に入浴者に微量放射線によるホルミシス効果を与えて、医学的効果を得ることができると共に、角閃石による脱臭・抗菌作用、緑泥石による抗菌作用、およびレジオネラ菌や水生菌に対する抑制力により、更に清潔で、安全な浴槽水とすることができる浴槽水の改質装置を提供しようとするものである。
【課題を解決するための手段】
【０００７】
本発明は、適宜大きさと、厚さのプレート状に加工した角閃石プレートと緑泥石プレートを適宜数組合わせて、上方および下方を開口した枠部材内に平面状に収納配設するという手段、または、
適宜大きさ厚さのプレート状に加工した角閃石プレートと緑泥石プレートを適宜数組合わせて、上方を開口したケース内に平面状に収納配設する手段、あるいは、
角閃石砕石と緑泥石砕石の適宜量を、開閉自在な蓋を備えたケース内に収納する一方、該蓋およびケースの側壁に貫通孔を穿設するという手段、
のいずれかを採用することにより、上記課題を解決した。
【発明の効果】
【０００８】
角閃石および緑泥石に含有される４０Ｋの励起作用、遠赤外線、並びにマイナスイオンの相乗効果により、入浴者に治療効果およびリラックス効果を与え、更に入浴者に微量放射線によるホルミシス効果を与えて、医学的効果を得ることができると共に、角閃石による脱臭・抗菌作用、並びに、緑泥石による抗菌作用、およびレジオネラ菌や水生菌に対する抑制力により、更に清潔で、安全な浴槽水とすることができる。
【発明を実施するための最良の形態】
【０００９】
本発明は、それぞれの特性を有する角閃石と緑泥石とをプレート状、または砕石状として、所定の割合でケースに収納する。あるいは、角閃石含有の釉を生素地に幕がけした角閃石タイルと、緑泥石含有の釉を生素地に幕がけした緑泥石タイルを所定の割合でケースに収納する。
【実施例１】
【００１０】
本発明の実施例１に係る浴槽水の改質装置を図面に基づいて詳細に説明する。本発明の実施例１に係る浴槽水の改質装置は、遠赤外線放射特性を有し、且つ脱臭性および抗菌性を有すると共に、マイナスイオンを放出し、更にホルミシス効果を有する角閃石と、遠赤外線放射特性を有し、且つ抗菌性を有すると共に、マイナスイオンを放出し、且つホルミシス効果を有し、更に、レジオネラ菌や水生菌に対して、抑制力を有する緑泥石の天然の鉱物を切断、研磨してプレート状に成型して、これらを適宜組合わせて、上方および下方を開口した枠部材内に収納することにより形成される。
【００１１】
本発明の素材である角閃石の硬度は６．０、また緑泥石の硬度は３．５で、いずれも硬質であるため、切断しても砕石状とならず、また表面を研磨することによって光沢のある平面的な表面を有するプレート状に成型することができる。
【００１２】
本発明の一方の素材である角閃石の化学組成式は、
（ＣａＮａＫ）３（ＭｇＦｅＡｌ）５（ＯＨＦ）２（ＳｉＡｌ）２Ｓｉ６Ｏ２２
から成っており、昇華鉱物ともいわれているが、学問的には温泉鉱物と呼ばれている。そして、前記角閃石は、地下で岩漿（Ｍａｇｍａ〜気圧３，０００、温度２，５００℃、酸素のない状態）の状態で溶融しており、地表に噴出すると酸素と接触して溶岩となり、その後凝固してできた火成岩である。
【００１３】
本発明者は、本発明の一方の素材である角閃石について、その特性を確認するため、遠赤外線放射率、マイナスイオン発生数、４０Ｋ含有量、脱臭率および抗菌率について測定した。そして、その結果を表１に示す。なお、遠赤外線の計測は、東北大学科学計測器研究所で行い、また、脱臭率の測定は、株式会社ユニチカリサーチラボ商品研究部で行い、抗菌率の測定は、岩手県薬品衛生検査センターで行った。更に、マイナスイオン数の測定は、後述する財団法人電力中央研究所で行った。
【００１４】
【表１】
2008055251.tif 000003
【００１５】
表１の測定結果から、角閃石は、遠赤外線放射率９６．０％、マイナスイオン発生数２，５００〜３，０００個／ｃｍ３／ｓｅｃ、４０Ｋ含有量０．４ｍｇ／ｌであることが判った。また、脱臭率については、酸性系７１．０％、アルカリ系６７．０％であって、角閃石はある程度の脱臭率を有し、更に、抗菌率については、酸性系８５．０％、アルカリ系９７．０％であり、角閃石は抗菌性を有することを確認することができた。なお、角閃石はレジオネラ菌に対しては全く抑制力を有しないことは明らかであるので、レジオネラ菌の検出は行わなかった。
【００１６】
前記表１で示すように、角閃石がマイナスイオンを発生する理由について、本発明者は、角閃石からマイナスイオンを発生させる主要要因は、角閃石が放射する微量放射線であるとの確信を得、角閃石に含まれるウラン系列核種（２１４Ｂｉ）、トリウム系列核種（２２８Ａｃ）およびカリウム４０（４０Ｋ）の放射能濃度の測定を、東京都立産業技術研究所に依頼した。
【００１７】
そして、前記東京都立産業技術研究所は、角閃石をＵ−８容器に入れ、８０，０００秒間の測定を行い、Ｕ−８の標準線源との比較により、ウラン系列核種（２１４Ｂｉ）、トリウム系列核種（２２８Ａｃ）およびカリウム４０（４０Ｋ）の放射能濃度を、「ゲルマニウム半導体検出器」（ドイツ・キャンベラ製 ＧＲ３０１９）という測定機器を用いて測定した。その測定結果を表２に示す。
【００１８】
【表２】
2008055251.tif 000004
【００１９】
表２の測定結果から、原子力関係法律で規制されているウラン系列核種（２１４Ｂｉ）およびトリウム系列核種（２２８Ａｃ）の放射能濃度は、それぞれ０．０１４Ｂｑ／ｇ、０．０１３Ｂｑ／ｇで、いずれも極めて低く、前記法律上、また生体にとっても問題がないことが判った。一方、前記原子力関係法律で規制されていないカリウム４０（４０Ｋ）は、前記ウラン系列核種（２１４Ｂｉ）およびトリウム系列核種（２２８Ａｃ）に比して、０．４０Ｂｑ／ｇと極めて高い放射濃度を有していることが判明した。すなわち、前記表２の測定結果から、角閃石は天然放射性鉱物であるということができる。
【００２０】
前記Ｂｑ(ベクレル)とは、放射性核種の壊変数が１秒につき１個であるときの放射能の量をいう。そして、角閃石中の、特に放射能濃度の高いカリウム４０(４０Ｋ)により電離(イオン化)作用が発生し、該電離作用によって壊変が起こり、角閃石中の電子、分子がプラスイオンおよびマイナスイオンを発生させると考えられる。なお、前記角閃石から発生したプラスイオンは、マイナスイオンの発生数より極めて少なく、且つ滝近くでマイナスイオンと共に発生するプラスイオンと同様に、ライフサイクルが短く短時間で消滅してしまう。
【００２１】
前記角閃石からマイナスイオンが発生することを立証するため、本発明者は、東京電力株式会社等、国内の９電力会社が共同出資して設立した財団法人電力中央研究所に、角閃石のマイナスイオンの発生数の測定を依頼した。そして、表３に示す測定結果が得られた。そして、比較のため、巷間、マイナスイオンが発生する鉱物といわれている「トルマリン(電気石)」についても測定を依頼した。なお、前記財団法人電力中央研究所では、ドイツのＤｅｕ  Ｉｎｄｕｓｔｒｉｅｓ，Ｉｎｃ．社製の「Ｍｏｄｅｌ  “Ｂｅｃｋｅｔｔ”」という測定器を使用し、主任研究員工学博士  須田知孝氏が測定を担当した。
【００２２】
【表３】
2008055251.tif 000005
【００２３】
前記表３の測定結果から、角閃石は、プレート状、塊状および粉末状のいずれの性状においても、マイナスイオンの発生数ほとんど差異はなく、２，５００個〜３，０００個／ｃｍ３／ｓｅｃのマイナスイオンが発生していることが確認できた。そして、本発明者は、表１に示すように、多量に角閃石に含まれ、且つ、ウラン系列核種（２１４Ｂｉ）およびトリウム系列核種（２２８Ａｃ）より１５倍程度高い放射能濃度を有するカリウム４０(４０Ｋ)が、特に多量のマイナスイオンを発生させているとの立証を得た。一方、カリウム４０(４０Ｋ)を全く含んでいないトルマリンからは、マイナスイオンは全く発生せず、前記本発明者のカリウム４０(４０Ｋ)がマイナスイオンを発生させるという理論が正しいことが立証できた。
【００２４】
前記マイナスイオンは、身体に作用して血液を浄化したり、神経の鎮静作用、血圧降下作用、気分を爽快にする等、生体にとって有効に作用することが知られている。そして、微量の放射線の被曝は、刺激作用等により、身体の防御機能の活性化を促す効果、すなわち、ホルミシス効果を有することが知られている。
【００２５】
なお、前記ホルミシスについて、財団法人高度情報科学技術研究機構が、インターネットのＷｅｂサイトで提供している「原子力百科辞典ＡＴＯＭＩＣＡ」には、「生物に対して通常有害な作用を示すものが、微量であれば逆に刺激作用を示す場合がある。この生理的刺激作用をホルミシスという。１９７８年ミズーリ大学のＴ．Ｄ．Ｌｕｃｋｅｙは“Ｈｏｒｍｅｓｉｓ  ｗｉｔｈ  Ｉｏｎｉｚｉｎｇ  Ｒａｄｉａｔｉｏｎ”という本を著した。このトピックは１９８０年代に入り、放射線影響研究の中で話題となり、低線量の放射線照射が生物の生長・発育の促進、繁殖力の増進および寿命の延長などの効果をもたらすこともあるという研究(放射線ホルミシス研究)として注目されることとなった」と記載されている。
【００２６】
更に、前記「原子力百科辞典ＡＴＯＭＩＣＡ」には、「放射線ホルミシスとは、高線量では有害な放射線が、低線量では生物活性を刺激する、あるいは“適応反応”と呼ぶ、後続の高線量照射に対する抵抗性を誘導するなどの現象をいう」と記載されている。
【００２７】
前記「原子力百科辞典ＡＴＯＭＩＣＡ」の記載から判断して、前記表２に示すように、角閃石も微量放射線を放射するので、当然ホルミシス効果を有するものである。更に、角閃石が遠赤外線を放射することは既に広く知られている。
【００２８】
なお、前記ホルミシス効果について現在研究中の前記財団法人電力中央研究所では、前記角閃石が放射する程度の微量の放射線が人体へのホルミシス効果としては極めて有効であるとの評価をしている。
【００２９】
更に、本発明の他方の素材である緑泥石の化学組成式は、
（ＭｇＦｅＡｌ）６（ＯＨ）６（ＳｉＡｌ）４Ｏ１０
から成っており、一般的に球菌・桿菌に対する抗菌性を有することが知られている。そして、前記緑泥石は、前記した角閃石と同様、地下で岩漿（Ｍａｇｍａ〜気圧３，０００、温度２，５００℃、酸素のない状態）の状態で溶融しており、地表に噴出すると酸素と接触して溶岩となり凝固してできた火成岩である。
【００３０】
本発明者は、本発明の他方の素材である緑泥石について、その特性を確認するため、遠赤外線放射率、マイナスイオン発生数、４０Ｋ含有量および抗菌率につき、測定した。そして、その測定結果を表４に示す。また、冷却塔内の水を採水し、これに緑泥石を投入したものを試料として、レジオネラ菌の検出を行った。その検出結果を表５に示す。
【００３１】
【表４】
2008055251.tif 000006
【００３２】
【表５】
2008055251.tif 000007
【００３３】
表４・表５の測定・検出結果から、緑泥石は、遠赤外線放射率８５．０％、マイナスイオン発生数２，０００個／ｃｍ３／ｓｅｃ、４０Ｋ含有量０．２ｍｇ／ｌであることが判った。また、抗菌率は、球菌に対して９４．０％、桿菌に対して９５．０％であって、緑泥石は高い抗菌率を有することが判った。しかしながら、脱臭率については、緑泥石は脱臭力はないので測定しなかった。更に、レジオネラ菌は不検出で、緑泥石がレジオネラ菌に対しては抑制力を有していることが確認できた。
【００３４】
なお、前記緑泥石について、水生菌の検出テストは行っていないが、前記したようにレジオネラ菌は不検出であるので、該レジオネラ菌より毒性が劣る水生菌についても当然不検出であると推測され、従って、緑泥石は水生菌に対しても抑制力を有していると考えることができる。
【００３５】
前記緑泥石は、角閃石と同様、４０Ｋを含有しているので、表３のように、マイナスイオンを発生すると共に、微量放射線を放射し、ホルミシス効果を有するのである。その理由は、緑泥石は前記した角閃石と同様、火成岩であるため、該角閃石と同様の効果を有するものであると考えられる。なお、４０Ｋの含有量は、前記表１および表４に示すように、角閃石が０．４ｍｇ／ｌに対して、緑泥石が０．２ｍｇ／ｌであるため、マイナスイオン発生数と放射線量は、角閃石に比べて少ない。
【００３６】
そして、前記角閃石に含有されている前記４０Ｋの元素は、例えばＮａ、Ｃａ、Ｍｇ、Ｋの４大鉱物質を励起（Ｅｘｃｉｔｅｄ）する作用を有し、その励起作用により、前記Ｎａ、Ｃａ、Ｍｇ、Ｋの特性を最大限発揮させることができる。すなわち、原子や分子の最外殻にある電子が、外からのエネルギーで高いエネルギーの軌道に移って安定状態に戻るが、このとき光等を出し、前記Ｎａ、Ｃａ、Ｍｇ、Ｋが励起状態（Ｅｘｃｉｔｅｄ  Ｓｔａｔｅ）となり、該Ｎａ、Ｃａ、Ｍｇ、Ｋが活性化されるのである。また、水も複合鉱物であるので、当然４０Ｋの励起作用により、浴槽水の遠赤外線およびマイナスイオン、ホルミシス効果、更には抗菌性、脱臭性、防カビ性を高めることができる。
【００３７】
本発明の浴槽水の改質装置は、前記角閃石と緑泥石の前記各特性を効果的に利用したものである。図１は、本発明の実施例１に係る浴槽水の改質装置の全体の斜視図、図２は、同縦断面図、図３は、同底面図である。
【００３８】
本発明の実施例１に係る浴槽水の改質装置は、適宜大きさ、厚さのプレート状に加工した角閃石プレート１と緑泥石プレート２を適宜数組合わせて、ステンレス、またはアルミニウム等の耐錆性鋼板により枠状に形成され、上方および下方を開口した枠部材３内に平面状に収納配設して形成される。なお、前記角閃石プレート１と緑泥石プレート２の収納比率は、表面積で角閃石プレート１が緑泥石プレート２より広くなるよう収納する。特に限定する必要はないが、好ましくは、角閃石プレート１が全表面積の８５％程度となるよう収納することが推奨される。
【００３９】
図１においては、角閃石プレート１が枠部材３の中央に、また前記角閃石プレート１と同一厚さの緑泥石プレート２がそれぞれ両側部に収納されているが、両者の配設位置は任意である。
【００４０】
前記枠部材３は、前記角閃石プレート１および緑泥石プレート２の板厚の２倍程度の高さを有し、且つ錆びる虞れのないステンレスやアルミニウム等の耐錆性鋼板を用いて、上方および下方を開口して方形枠状に形成すると共に、上端部を内方へ直角に折曲して折曲片４を設けて形成されている。
【００４１】
そして、前記角閃石プレート１および緑泥石プレート２を適宜板数組合わせて、前記枠部材３内において、前記角閃石プレート１および緑泥石プレート２の上方外側端縁部を前記折曲片４の下面に当接せしめて、該角閃石プレート１および緑泥石プレート２の上方移動を阻止する。
【００４２】
更に、前記枠部材３内の角閃石プレート１および緑泥石プレート２の下面に当接して、該角閃石プレート１および緑泥石プレート２の下方移動を阻止して、枠部材３内に固定する複数本のプレート保持板５が交差して前記枠部材３内の内側面部に連結固定されている。前記プレート保持板５は、前記枠部材３と同様、耐錆性鋼板により形成される。
【００４３】
また更に、前記枠部材３の隅角部を被覆するように、ゴムや軟質樹脂より成るクッション材６が、該枠部材３より外方へ突出して一体に被着固定され、本発明浴槽水の改質装置を浴槽中に配置しても、ステンレスやアルミニウム等の耐錆性鋼板より成る枠部材３が、クッション材６によって直接浴槽へ接触することもないので、浴槽を傷付けることがない。
【００４４】
前記枠部材３より突出してクッション材６が設けられていることと、該枠部材３に固定された角閃石プレート１および緑泥石プレート２の下面と前記枠部材３の下端縁間には隙間７が形成されているため、本発明浴槽水の改質装置を浴槽内に配置した場合、前記角閃石プレート１および緑泥石プレート２の上・下面のいずれも浴槽水に接触し、その接触面積を大きくすることができる。
【００４５】
本発明の実施例１に係る浴槽水の改質装置は、枠部材３内に収納配設された角閃石プレート１および緑泥石プレート２が同一厚さで全体が平面状に形成されていて、平面状をなす上面および下面が露出しているため、浴槽水との接触面積が大きくなると共に、浴槽水が４０℃程度に加温されることにより、前記角閃石プレート１および緑泥石プレート２も加温されて遠赤外線放射率、マイナスイオン発生数が１０％程度増大し、且つ４０Ｋの励起作用の相乗効果により、入浴者に遠赤外線を多く放射して温熱効果等、遠赤外線放射効果を与えると共に、マイナスイオンが増加して浴槽水中に浸透することにより、入浴者の身体に作用して血液を浄化したり、神経の鎮静作用や血圧降下作用を図り、気分を爽快にすることができる。更に、前記角閃石プレート１および緑泥石プレート２の加温により、該角閃石プレート１および緑泥石プレート２より、４０Ｋに基づく微量放射線が更に多く放射されて、入浴者にホルミシス効果を与えることができる。
【００４６】
また更に、角閃石プレート１による脱臭性および抗菌性、並びに緑泥石プレート２による抗菌性、およびレジオネラ菌や水生菌に対する抑制力により、浴槽水の脱臭と抗菌を図ると共に、レジオネラ菌や水生菌の発生を抑制することができる。
【００４７】
本発明者は、前記本発明の実施例１による浴槽水の改質装置を、４０℃の浴槽水中に配置した浴槽と、該装置を配置していない浴槽とに、男性５人（３５才〜４５才）にそれぞれ入浴してもらい、発汗するまでの時間を測定した。その結果、前記本発明浴槽水の改質装置を配置した浴槽においては、平均して４０℃の湯温で５分間経過すると、発汗が認められるのに対し、本発明浴槽水の改質装置を配置していない浴槽においては、平均して４０℃の湯温では２０分経過しないと、発汗しないことが判った。すなわち、本発明浴槽水の改質装置を構成する角閃石プレートおよび緑泥石プレートの遠赤外線放射率が高いことから、前記本発明浴槽水の改質装置を使用することにより、短時間で発汗するものであると考えられる。なお、前記測定に当たっては、１０ｃｍ×１０ｃｍの角閃石プレート５枚、１０ｃｍ×１０ｃｍの緑泥石プレート４枚より構成された浴槽水の改質装置を使用した。
【実施例２】
【００４８】
本発明の実施例２に係る浴槽水の改質装置を詳細に説明する。図４は、本発明の実施例２に係る浴槽水の改質装置の全体の斜視図、図５は、同縦断面図である。
【００４９】
本発明の実施例２に係る浴槽水の改質装置は、前記実施例１と同様、適宜大きさ、厚さのプレート状に加工した角閃石プレート１１と緑泥石プレート１２を適宜数組合わせて、ひば等の木材、プラスチック、ゴム板、あるいはステンレス、またはアルミニウム等の耐錆性鋼板により上方を開口した有底の箱状のケース１３内に平面状に収納配設して形成される。
【００５０】
なお、前記角閃石プレート１１と緑泥石プレート１２の収納比率は、表面積で角閃石プレート１１が緑泥石プレート１２より広くなるよう収納する。特に限定する必要はないが、好ましくは、角閃石プレート１１が全表面積の８５％程度となるよう収納することが推奨される。
【００５１】
図７においては、角閃石プレート１１がケース１３の中央に、また前記角閃石プレート１１と同一厚さの緑泥石プレート１２がそれぞれ両側部に収納されているが、両者の配設位置は任意である。
【００５２】
本発明の実施例２に係る浴槽水の改質装置は、実施例１と異なるところは、ケース１３内に収納配設された角閃石プレート１１と緑泥石プレート１２の平面状をなす上面のみが露出している点だけである。従って、浴槽水との接触面積が実施例１のものの半分であるが、その他の作用、効果は実施例１と同一であるので説明を省略する。
【実施例３】
【００５３】
本発明の実施例３に係る浴槽水の改質装置を詳細に説明する。図６は、本発明の実施例３に係る浴槽水の改質装置の蓋を開放して示す全体の斜視図である。本発明の実施例３に係る浴槽水の改質装置は、前記角閃石と緑泥石を破砕して砕石状として、これら角閃石砕石２１と緑泥石砕石２２の適宜量を、ひば等の木材、プラスチック、ゴム板、あるいはステンレス、またはアルミニウム等の耐錆性鋼板等により形成された開閉自在な蓋２３を備えたケース２４内に収納して形成される。なお、前記角閃石砕石２１と緑泥石砕石２２の収納比率は、表面積で角閃石砕石２１が緑泥石砕石２２より広くなるよう収納する。特に限定する必要はないが、好ましくは、角閃石砕石２１が全表面積の８５％程度となるよう収納することが推奨される。
【００５４】
なお、図中２５は、蓋２３およびケース２４の側壁に穿設された貫通孔で、該貫通孔２５から浴槽水がケース２４内に通水されて、該浴槽水と角閃石砕石２１および緑泥石砕石２２とを接触させると共に、接触した後の浴槽水の排出路とする。
【００５５】
本発明の実施例３に係る浴槽水の改質装置においては、前記実施例１・２と異なり、角閃石砕石２１および緑泥石砕石２２が汚れた場合、蓋２３を開けて、前記角閃石砕石２１および緑泥石砕石２２を取出して洗浄する以外は、実施例３に係る浴槽水の改質装置における作用および効果は、実施例１・２に係る浴槽水の改質装置と同一であるので説明を省略する。
【実施例４】
【００５６】
本発明の実施例４に係る浴槽水の改質装置を詳細に説明する。図７は、本発明の実施例４に係る浴槽水の改質装置の縦断面図である。
【００５７】
本発明の実施例４に係る浴槽水の改質装置は、実施例１の変型である。実施例１は、プレート状に加工した角閃石プレートと緑泥石プレートを使用するが、実施例４は、角閃石含有の釉を素地焼成された生素地３１の表・裏面に幕がけした後、本焼成して角閃石含有釉層３２を設けて形成された角閃石タイル３３と、緑泥石含有の釉を素地焼成された生素地３４の表・裏面に幕がけした後、本焼成して緑泥石含有釉層３５を設けて形成された緑泥石タイル３６を適宜数組合わせて、ステンレスまたはアルミニウム等の耐錆性鋼板により枠状に形成され、上方および下方を開口した枠部材３内に平面状に収納配設して形成される。なお、図中、４は折曲片、５はタイル保持板、６はクッション材であって、その作用、効果は実施例１のものと同一であるので説明は省略する。
【００５８】
前記角閃石タイル３３は、前記特性を有する角閃石を微粉末状に加工して、該角閃石微粉末と、陶磁器等の焼物の釉として公知となっている石灰石、長石、合成土灰、カオリン等の既存の釉の原材料とを、ポットミル、またはトロミルに水と共に入れて、該ポットミル、またはトロミルを回転させて、前記釉の原材料と角閃石微粉末とを混合して微粒子状に粉砕して得られた釉を、素地焼成された生素地３１の表・裏面に幕がけした後、本焼成して、角閃石含有釉層３２を設けて形成されたものである。
【００５９】
なお、前記角閃石タイル３３の製造に使用する釉における既存の原材料と角閃石微粉末の配合比率は、特に限定する必要はないが、好ましくは、原材料１０〜７５重量％、更に好ましくは、２０〜６０重量％、また特に好ましくは、２５〜５０重量％と、角閃石微粉末２５〜９０重量％、更に好ましくは、４０〜８０重量％、また特に好ましくは、５０〜７５重量％とすることが推奨される。
【００６０】
また、前記緑泥石タイル３６も前記角閃石タイル３３と同様の方法により、釉の原材料と緑泥石微粉末とを混合して微粒子状に粉砕して得られた釉を、素地焼成された生素地３４の表・裏面に幕がけした後、本焼成して、緑泥石含有釉層３５を設けて形成されたものである。
【００６１】
なお、前記緑泥石タイル３６の製造に使用する釉における既存の原材料と緑泥石微粉末の配合比率は、特に限定する必要はないが、好ましくは、原材料１０〜７５重量％、更に好ましくは、２０〜６０重量％、また特に好ましくは、２５〜５０重量％と、角閃石微粉末２５〜９０重量％、更に好ましくは、４０〜８０重量％、また特に好ましくは、５０〜７５重量％とすることが推奨される。
【００６２】
前記角閃石タイル３３の製造に使用する釉の遠赤外線放射率、マイナスイオン発生数、４０Ｋ含有量、脱臭率および抗菌率については、釉中に配合される角閃石微粉末の量によって異なるが、前記特に好ましい配合比率である既存の原材料２５重量％と、角閃石微粉末７５重量％の配合比率で得られた釉は、前記表１の測定数値の９０％程度の測定数値が得られ、本発明浴槽水の改質装置に使用すると、充分な効果が期待できるのである。
【００６３】
更に、前記緑泥石タイル３６の製造に使用する釉の遠赤外線放射率、マイナスイオン発生数、４０Ｋ含有量および抗菌率については、釉中に配合される緑泥石微粉末の量によって異なるが、前記特に好ましい配合比率である既存の原材料２５重量％と、緑泥石微粉末７５重量％の配合比率で得られた釉は、前記表４の測定数値の９０％程度の測定数値が得られる共に、レジオネラ菌も不検出であったので、本発明浴槽水の改質装置に使用すると、充分な効果が期待できるのである。
【００６４】
なお、図示していないが、実施例４において、角閃石タイル３３に代えて、実施例１で述べた角閃石プレート１を使用してもよいし、また、実施例４において、緑泥石タイル３６に代えて、実施例１で述べた緑泥石プレート２を使用してもよい。
【００６５】
実施例４による浴槽水の改質装置の作用および効果は、前記実施例１に述べた作用および効果と同一であるので説明を省略する。
【実施例５】
【００６６】
本発明の実施例５に係る浴槽水の改質装置を詳細に説明する。図８は、本発明の実施例５に係る浴槽水の改質装置の縦断面図である。
【００６７】
本発明の実施例５に係る浴槽水の改質装置は、実施例２の変型である。実施例２は、プレート状に加工した角閃石プレートと緑泥石プレートを使用するが、実施例５は、角閃石含有の釉を素地焼成された生素地４１の表・裏面に幕がけした後、本焼成して角閃石含有釉層４２を設けて形成された角閃石タイル４３と、緑泥石含有の釉を素地焼成された生素地４４の表・裏面に幕がけした後、本焼成して緑泥石含有釉層４５を設けて形成された緑泥石タイル４６を適宜数組合わせて、ひば等の木材、プラスチック、ゴム板、あるいはステンレスまたはアルミニウム等の耐錆性鋼板より上方を開口した有底の箱状のケース１３内に平面状に収納配設して形成される。
【００６８】
なお、図示していないが、実施例５において、角閃石タイル４３に代えて、実施例２で述べた角閃石プレート１１を使用してもよいし、また、実施例５において、緑泥石タイル４６に代えて、実施例２で述べた緑泥石プレート１２を使用してもよい。
【００６９】
なお、実施例５による角閃石タイル４３および緑泥石タイル４６の製造方法、並びに、その作用および効果は、前記実施例２および実施例４に述べたものと同一であるので説明は省略する。
【図面の簡単な説明】
【００７０】
【図１】本発明浴槽水の改質装置の実施例１を示す全体の斜視図である。
【図２】同縦断面図である。
【図３】同底面図である。
【図４】本発明浴槽水の改質装置の実施例２を示す全体の斜視図である。
【図５】同縦断面図である。
【図６】本発明浴槽水の改質装置の実施例３の蓋を開放して示す全体の斜視図である。
【図７】本発明浴槽水の改質装置の実施例４を示す縦断面図である。
【図８】本発明浴槽水の改質装置の実施例５を示す縦断面図である。
【符号の説明】
【００７１】
１    角閃石プレート
２    緑泥石プレート
３    枠部材
１１    角閃石プレート
１２    緑泥石プレート
１３    ケース
２１    角閃石砕石
２２    緑泥石砕石
２３    蓋
２４    ケース
２５    貫通孔
３１    生素地
３２    角閃石含有釉層
３３    角閃石タイル
３４    生素地
３５    緑泥石含有釉層
３６    緑泥石タイル
４１    生素地
４２    角閃石含有釉層
４３    角閃石タイル
４４    生素地
４５    緑泥石含有釉層
４６    緑泥石タイル
【図１】
2008055251.tif 000008
【図２】
2008055251.tif 000009
【図３】
2008055251.tif 000010
【図４】
2008055251.tif 000011
【図５】
2008055251.tif 000012
【図６】
2008055251.tif 000013
【図７】
2008055251.tif 000014
【図８】
2008055251.tif 000015